【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
直方体形状を呈し且つ複数の誘電体層と複数の内部電極とが交互に積層された積層体と、当該積層体の側面上に形成された複数の外部導体と、を備えた積層コンデンサであって、
前記複数の内部電極は、交互に配置される複数の第１内部電極と複数の第２内部電極とを含み、
前記複数の外部導体は、第１端子導体、第２端子導体、前記複数の第１内部電極に電気的に接続される第１外部接続導体、及び前記複数の第２内部電極に電気的に接続される第２外部接続導体を含み、
前記第１端子導体は、前記積層体の長手方向に伸びる第１側面上に形成され、
前記第２端子導体は、前記積層体の前記第１側面上又は前記積層体の長手方向に伸びるとともに該第１側面に対向する前記第２側面上に形成され、
前記第１外部接続導体は、前記積層体の前記第１側面上又は前記第２側面上に形成され、
前記第２外部接続導体は、前記積層体の前記第１側面上又は前記第２側面上に形成され、
前記第１端子導体、前記第２端子導体、前記第１外部接続導体、及び前記第２外部接続導体はいずれも１以上であり、
前記積層体の積層方向に直交する前記積層体の２つの側面それぞれの中心点を通る前記積層体の中心軸に対し、前記第１端子導体と線対称の位置に前記第１端子導体又は前記第２端子導体が位置し、
前記積層体の前記中心軸に対し、前記第１外部接続導体と線対称の位置に前記第１外部接続導体又は前記第２外部接続導体が位置し、
前記積層体の前記中心軸に対し、前記第２端子導体と線対称の位置に前記第１端子導体又は前記第２端子導体が位置し、
前記積層体の前記中心軸に対し、前記第２外部接続導体と線対称の位置に前記第１外部接続導体又は前記第２外部接続導体が位置し、
前記積層体の前記第１側面と前記第２側面との対向方向で前記第１端子導体と対向する位置に、前記第１端子導体又は前記第２端子導体が位置し、
前記積層体の前記第１側面と前記第２側面との対向方向で前記第１外部接続導体と対向する位置に、前記第１外部接続導体又は前記第２外部接続導体が位置し、
前記積層体の前記第１側面と前記第２側面との対向方向で前記第２端子導体と対向する位置に、前記第１端子導体又は前記第２端子導体が位置し、
前記積層体の前記第１側面と前記第２側面との対向方向で前記第２外部接続導体と対向する位置に、前記第１外部接続導体又は前記第２外部接続導体が位置し、
前記各第１内部電極は、引き出し導体を介して前記第１外部接続導体に電気的に接続され、
前記各第２内部電極は、引き出し導体を介して前記第２外部接続導体に電気的に接続され、
前記積層体には、少なくとも１つの第１内部接続導体及び少なくとも１つの第２内部接続導体が積層されており、
前記第１内部接続導体は、前記第１端子導体と前記第１外部接続導体とに電気的に接続され、前記第２内部接続導体は、前記第１内部接続導体とは電気的に絶縁されると共に前記第２端子導体と前記第２外部接続導体とに電気的に接続され、
前記第１及び第２内部接続導体は、前記積層体が前記誘電体層を介して積層方向に互いに隣り合う前記第１内部電極及び前記第２内部電極を少なくとも１組含むように、当該積層体に積層されており、
前記第１内部接続導体の数と前記第２内部接続導体の数とをそれぞれ調整することにより、等価直列抵抗が所望の値に設定されていることを特徴とする積層コンデンサ。
【請求項２】
直方体形状を呈し且つ複数の誘電体層と複数の内部電極とが交互に積層された積層体と、当該積層体の側面上に形成された複数の外部導体と、を備えた積層コンデンサであって、
前記複数の内部電極は、交互に配置される複数の第１内部電極と複数の第２内部電極とを含み、
前記複数の外部導体は、第１端子導体、第２端子導体、前記複数の第１内部電極に電気的に接続される第１外部接続導体、及び前記複数の第２内部電極に電気的に接続される第２外部接続導体を含み、
前記第１端子導体は、前記積層体の長手方向に伸びる第１側面上に形成され、
前記第２端子導体は、前記積層体の前記第１側面上又は前記積層体の長手方向に伸びるとともに該第１側面に対向する前記第２側面上に形成され、
前記第１外部接続導体は、前記積層体の前記第１側面上又は前記第２側面上に形成され、
前記第２外部接続導体は、前記積層体の前記第１側面上又は前記第２側面上に形成され、
前記第１端子導体、前記第２端子導体、前記第１外部接続導体、及び前記第２外部接続導体はいずれも１以上であり、
前記積層体の積層方向に直交する前記積層体の２つの側面それぞれの中心点を通る前記積層体の中心軸に対し、前記第１端子導体と線対称の位置に前記第１端子導体又は前記第２端子導体が位置し、
前記積層体の前記中心軸に対し、前記第１外部接続導体と線対称の位置に前記第１外部接続導体又は前記第２外部接続導体が位置し、
前記積層体の前記中心軸に対し、前記第２端子導体と線対称の位置に前記第１端子導体又は前記第２端子導体が位置し、
前記積層体の前記中心軸に対し、前記第２外部接続導体と線対称の位置に前記第１外部接続導体又は前記第２外部接続導体が位置し、
前記積層体の前記第１側面と前記第２側面との対向方向で前記第１端子導体と対向する位置に、前記第１端子導体又は前記第２端子導体が位置し、
前記積層体の前記第１側面と前記第２側面との対向方向で前記第１外部接続導体と対向する位置に、前記第１外部接続導体又は前記第２外部接続導体が位置し、
前記積層体の前記第１側面と前記第２側面との対向方向で前記第２端子導体と対向する位置に、前記第１端子導体又は前記第２端子導体が位置し、
前記積層体の前記第１側面と前記第２側面との対向方向で前記第２外部接続導体と対向する位置に、前記第１外部接続導体又は前記第２外部接続導体が位置し、
前記各第１内部電極は、引き出し導体を介して前記第１外部接続導体に電気的に接続され、
前記各第２内部電極は、引き出し導体を介して前記第２外部接続導体に電気的に接続され、
前記積層体には、少なくとも１つの第１内部接続導体及び少なくとも１つの第２内部接続導体が積層されており、
前記第１内部接続導体は、前記第１端子導体と前記第１外部接続導体とに電気的に接続され、前記第２内部接続導体は、前記第１内部接続導体とは電気的に絶縁されると共に前記第２端子導体と前記第２外部接続導体とに電気的に接続され、
前記第１及び第２内部接続導体は、前記積層体が前記誘電体層を介して積層方向に互いに隣り合う前記第１内部電極及び前記第２内部電極を少なくとも１組含むように、当該積層体に積層されており、
前記第１内部接続導体の前記積層体の積層方向での位置と前記第２内部接続導体の前記積層体の積層方向での位置とをそれぞれ調整することにより、等価直列抵抗が所望の値に設定されていることを特徴とする積層コンデンサ。
【請求項３】
前記第１内部接続導体は、前記積層体の積層方向において前記誘電体層を介して前記第２内部電極と互いに対向する領域を有することを特徴とする請求項１又は請求項２記載の積層コンデンサ。
【請求項４】
前記第２内部接続導体は、前記積層体の積層方向において前記誘電体層を介して前記第１内部電極と互いに対向する領域を有することを特徴とする請求項１又は請求項２記載の積層コンデンサ。
【請求項５】
前記第１端子導体及び前記第１外部接続導体はいずれも複数で且つ同じ数であり、
前記第２端子導体及び前記第２外部接続導体はいずれも複数で且つ同じ数であり、
前記複数の第１端子導体と前記複数の第１外部接続導体とは前記積層体の前記第１側面上に形成されており、前記複数の第２端子導体と前記複数の第２外部接続導体とは前記積層体の前記第２側面上に形成されており、
前記各第１端子導体の前記第１側面上における両隣の少なくとも何れか一方には前記第１外部接続導体が形成されており、
前記各第１外部接続導体の前記第１側面上における両隣の少なくとも何れか一方には前記第１端子導体が形成されており、
前記各第２端子導体の前記第２側面上における両隣の少なくとも何れか一方には前記第２外部接続導体が形成されており、
前記各第２外部接続導体の前記第２側面上における両隣の少なくとも何れか一方には前記第２端子導体が形成されていることを特徴とする請求項１又は請求項２記載の積層コンデンサ。
【請求項６】
前記第１及び第２端子導体並びに前記第１及び第２外部接続導体はいずれも複数であって、且つ前記積層体の前記第１又は第２側面上に形成され、
前記第１側面上に形成された前記第１及び第２端子導体並びに前記第１及び第２外部接続導体は、前記積層体の長手方向の両端側に第１又は第２端子導体が位置すると共に、前記第１及び第２外部接続導体が前記積層体の長手方向に沿って連続して配置されるように、前記第１側面上に形成されており、
前記第２側面上に形成された前記第１及び第２端子導体並びに前記第１及び第２外部接続導体は、前記積層体の長手方向の両端側に第１又は第２端子導体が位置すると共に、前記第１及び第２外部接続導体が前記積層体の長手方向に沿って連続して配置されるように、前記第２側面上に形成されていることを特徴とする請求項１又は請求項２記載の積層コンデンサ。
【請求項７】
直方体形状を呈し且つ複数の誘電体層と複数の内部電極とが交互に積層された積層体と、当該積層体の側面上に形成された複数の外部導体と、を備えた積層コンデンサであって、
前記複数の内部電極は、交互に配置される複数の第１内部電極と複数の第２内部電極とを含み、
前記複数の外部導体は、複数の第１端子導体、複数の第２端子導体、第１外部接続導体、及び第２外部接続導体を含み、
前記複数の第１端子導体のうち少なくとも１つは、前記積層体の長手方向に伸びる第１側面上に形成され、残りの前記第１端子導体のうち少なくとも１つは、前記積層体の長手方向に伸びるとともに前記第１側面と対向する第２側面上に形成され、
前記複数の第２端子導体のうち少なくとも１つは、前記積層体の前記第１側面上に形成され、残りの前記第２端子導体のうち少なくとも１つは、前記積層体の前記第２側面上に形成され、
前記第１外部接続導体は、前記積層体の前記第１側面上に形成され、
前記第２外部接続導体は、前記積層体の前記第２側面上に形成され、
前記積層体の積層方向に直交する前記積層体の２つの側面それぞれの中心点を通る前記積層体の中心軸に対し、前記第１端子導体と線対称の位置に前記第１端子導体又は前記第２端子導体が位置し、
前記積層体の前記中心軸に対し、前記第１外部接続導体と線対称の位置に前記第１外部接続導体又は前記第２外部接続導体が位置し、
前記積層体の前記中心軸に対し、前記第２端子導体と線対称の位置に前記第１端子導体又は前記第２端子導体が位置し、
前記積層体の前記中心軸に対し、前記第２外部接続導体と線対称の位置に前記第１外部接続導体又は前記第２外部接続導体が位置し、
前記積層体の前記第１側面と前記第２側面との対向方向で前記第１端子導体と対向する位置に、前記第１端子導体又は前記第２端子導体が位置し、
前記積層体の前記第１側面と前記第２側面との対向方向で前記第１外部接続導体と対向する位置に、前記第１外部接続導体又は前記第２外部接続導体が位置し、
前記積層体の前記第１側面と前記第２側面との対向方向で前記第２端子導体と対向する位置に、前記第１端子導体又は前記第２端子導体が位置し、
前記積層体の前記第１側面と前記第２側面との対向方向で前記第２外部接続導体と対向する位置に、前記第１外部接続導体又は前記第２外部接続導体が位置し、
前記各第１内部電極は、引き出し導体を介して前記第１外部接続導体に電気的に接続され、
前記各第２内部電極は、引き出し導体を介して前記第２外部接続導体に電気的に接続され、
前記積層体には、少なくとも１つの第１内部接続導体及び少なくとも１つの第２内部接続導体が積層されており、
前記第１内部接続導体は、前記複数の第１端子導体と前記第１外部接続導体とに電気的に接続され、前記第２内部接続導体は、前記第１内部接続導体とは電気的に絶縁されると共に前記複数の第２端子導体と前記第２外部接続導体とに電気的に接続され、
前記第１及び第２内部接続導体は、前記積層体が前記誘電体層を介して積層方向に互いに隣り合う前記第１内部電極及び前記第２内部電極を少なくとも１組含むように、当該積層体に積層されており、
前記第１内部接続導体の数と前記第２内部接続導体の数とをそれぞれ調整することにより、等価直列抵抗が所望の値に設定されていることを特徴とする積層コンデンサ。
【請求項８】
直方体形状を呈し且つ複数の誘電体層と複数の内部電極とが交互に積層された積層体と、当該積層体の側面上に形成された複数の外部導体と、を備えた積層コンデンサであって、
前記複数の内部電極は、交互に配置される複数の第１内部電極と複数の第２内部電極とを含み、
前記複数の外部導体は、複数の第１端子導体、複数の第２端子導体、第１外部接続導体、及び第２外部接続導体を含み、
前記複数の第１端子導体のうち少なくとも１つは、前記積層体の長手方向に伸びる第１側面上に形成され、残りの前記第１端子導体のうち少なくとも１つは、前記積層体の長手方向に伸びるとともに前記第１側面と対向する第２側面上に形成され、
前記複数の第２端子導体のうち少なくとも１つは、前記積層体の前記第１側面上に形成され、残りの前記第２端子導体のうち少なくとも１つは、前記積層体の前記第２側面上に形成され、
前記第１外部接続導体は、前記積層体の前記第１側面上に形成され、
前記第２外部接続導体は、前記積層体の前記第２側面上に形成され、
前記積層体の積層方向に直交する前記積層体の２つの側面それぞれの中心点を通る前記積層体の中心軸に対し、前記第１端子導体と線対称の位置に前記第１端子導体又は前記第２端子導体が位置し、
前記積層体の前記中心軸に対し、前記第１外部接続導体と線対称の位置に前記第１外部接続導体又は前記第２外部接続導体が位置し、
前記積層体の前記中心軸に対し、前記第２端子導体と線対称の位置に前記第１端子導体又は前記第２端子導体が位置し、
前記積層体の前記中心軸に対し、前記第２外部接続導体と線対称の位置に前記第１外部接続導体又は前記第２外部接続導体が位置し、
前記積層体の前記第１側面と前記第２側面との対向方向で前記第１端子導体と対向する位置に、前記第１端子導体又は前記第２端子導体が位置し、
前記積層体の前記第１側面と前記第２側面との対向方向で前記第１外部接続導体と対向する位置に、前記第１外部接続導体又は前記第２外部接続導体が位置し、
前記積層体の前記第１側面と前記第２側面との対向方向で前記第２端子導体と対向する位置に、前記第１端子導体又は前記第２端子導体が位置し、
前記積層体の前記第１側面と前記第２側面との対向方向で前記第２外部接続導体と対向する位置に、前記第１外部接続導体又は前記第２外部接続導体が位置し、
前記各第１内部電極は、引き出し導体を介して前記第１外部接続導体に電気的に接続され、
前記各第２内部電極は、引き出し導体を介して前記第２外部接続導体に電気的に接続され、
前記積層体には、少なくとも１つの第１内部接続導体及び少なくとも１つの第２内部接続導体が積層されており、
前記第１内部接続導体は、前記複数の第１端子導体と前記第１外部接続導体とに電気的に接続され、前記第２内部接続導体は、前記第１内部接続導体とは電気的に絶縁されると共に前記複数の第２端子導体と前記第２外部接続導体とに電気的に接続され、
前記第１及び第２内部接続導体は、前記積層体が前記誘電体層を介して積層方向に互いに隣り合う前記第１内部電極及び前記第２内部電極を少なくとも１組含むように、当該積層体に積層されており、
前記第１内部接続導体の前記積層体の積層方向での位置と前記第２内部接続導体の前記積層体の積層方向での位置とをそれぞれ調整することにより、等価直列抵抗が所望の値に設定されていることを特徴とする積層コンデンサ。
【請求項９】
前記第１外部接続導体は、前記第１側面上において、前記第１端子導体と前記第２端子導体との間に位置するように形成され、
前記第２外部接続導体は、前記第２側面上において、前記第１端子導体と前記第２端子導体との間に位置するように形成されることを特徴とする請求項７又は請求項８記載の積層コンデンサ。
【請求項１０】
前記第１側面上に形成された前記第１端子導体と前記第２側面上に形成された前記第２端子導体とは、前記第１側面と前記第２側面とが対向する方向で対向し、
前記第２側面上に形成された前記第１端子導体と前記第１側面上に形成された前記第２端子導体とは、前記第１側面と前記第２側面とが対向する方向で対向することを特徴とする請求項７又は請求項８記載の積層コンデンサ。
【請求項１１】
前記第１及び第２外部接続導体はいずれも複数であって、且つ、前記積層体の前記第１又は第２側面上に形成され、
前記第１側面上に形成された前記第１及び第２端子導体並びに前記第１及び第２外部接続導体は、前記積層体の長手方向の両端側に第１又は第２端子導体が位置すると共に、前記第１及び第２外部接続導体が前記積層体の長手方向に沿って連続して配置されるように、前記第１側面上に形成されており、
前記第２側面上に形成された前記第１及び第２端子導体並びに前記第１及び第２外部接続導体は、前記積層体の長手方向の両端側に第１又は第２端子導体が位置すると共に、前記第１及び第２外部接続導体が前記積層体の長手方向に沿って連続して配置されるように、前記第２側面上に形成されていることを特徴とする請求項７又は請求項８記載の積層コンデンサ。
【請求項１２】
前記積層体の積層方向と直交する側面上に、前記複数の外部導体全ての一部が形成されていることを特徴とする請求項１〜１１の何れか一項に記載の積層コンデンサ。
【請求項１３】
請求項１〜１２の何れか一項に記載の積層コンデンサと、
実装面に複数の第１及び第２のランド電極が形成された回路基板と、を備え、
前記第１端子導体は、前記回路基板に形成された前記第１のランド電極に接続され、
前記第２端子導体は、前記回路基板に形成された前記第２のランド電極に接続され、
前記第１及び第２外部接続導体は何れも、前記回路基板に形成された前記第１及び第２のランド電極の何れにも接続されないことを特徴とする積層コンデンサの実装構造。
【請求項１４】
請求項１２に記載の積層コンデンサと、
実装面に複数の第１及び第２のランド電極が形成された回路基板と、を備え、
前記積層体の積層方向と直交する前記側面と前記回路基板の前記実装面とが対向するように前記積層コンデンサは前記回路基板に実装され、
前記第１端子導体は、前記回路基板に形成された前記第１のランド電極に接続され、
前記第２端子導体は、前記回路基板に形成された前記第２のランド電極に接続され、
前記第１及び第２外部接続導体は何れも、前記回路基板に形成された前記第１及び第２のランド電極の何れにも接続されないことを特徴とする積層コンデンサの実装構造。